(57)【要約】【課題】まつげパーマを容易に、かつ従来パーマだけでは困難であった大きなカールでかつまつげ根元から直ちに立上がった仕上がりを得ることができるまつげパーマ用ロッドおよびこれを用いるまつげパーマ施術方法の提供。【解決手段】ロッドは、一中心点からの距離Ｒ１  で、中心点に対し９０°の挟角を形成する２点ｒ１  およびｒ２  、前記中心点と０．５ｍｍ以上離間した他の中心点からの距離Ｒ２  （ただしＲ２  ≧Ｒ１  ）にある２点であって、前記ｒ２  と平行かつ同じ向きの点ｒ３  および前記ｒ１  と逆方向の点ｒ４  を、少なくともまつげ当接点とする横断面を有する棒体からなる。【選択図】図１
2005027788.tif 000002
【特許請求の範囲】
【請求項１】
一中心点からの距離Ｒ１  で、中心点に対し９０°の挟角を形成する２点ｒ１  およびｒ２  、前記中心点と０．５ｍｍ以上離間した他の中心点からの距離Ｒ２  （ただしＲ２  ≧Ｒ１  ）にある２点であって、前記ｒ２  と平行かつ同じ向きの点ｒ３  および前記ｒ１  と逆方向の点ｒ４  を、少なくともまつげ当接点とする横断面を有する棒体からなるまつげパーマ用ロッド。
【請求項２】
前記Ｒ１  が０．７〜２ｍｍである請求項１に記載のまつげパーマ用ロッド。
【請求項３】
前記Ｒ２  が０．７〜３ｍｍである請求項１または２に記載のまつげパーマ用ロッド。
【請求項４】
前記Ｒ１  および前記Ｒ２  の長さが等しい請求項１ないし３のいずれかに記載のまつげパーマ用ロッド。
【請求項５】
前記２つの中心点間距離が、前記Ｒ１  とＲ２  との合計長さである請求項１ないし４のいずれかに記載のまつげパーマ用ロッド。
【請求項６】
エンボス表面を有する請求項１ないし５のいずれかに記載のまつげパーマ用ロッド。
【請求項７】
請求項１ないし６のいずれかに記載のまつげパーマ用ロッドを用い、前記ｒ１  点をまつげ根元に、前記ｒ４  点をまつげ毛先側に配置し、まつげをｒ１  、ｒ２  、ｒ３  およびｒ４  の少なくとも４点と当接させてパーマをかける、まつげパーマ施術方法。
【発明の詳細な説明】
【０００１】
【発明の属する技術分野】
本発明は、まつげパーマ用ロッドおよびこれを用いるまつげパーマ施術方法に関する。
【０００２】
【従来の技術】
最近、アートメイクなどの美容ブームもあって、まつげパーマ（パーマネントウエーブ）のニーズが急増しており、美容院などにおいても日常的な要望となりつつある。これ以前にまつげパーマが全く行なわれていなかった訳ではないが、その頻度は稀であったため、頭髪パーマほど技術は確立されているとはいえない。まつげは眼球の真上にあり、目のまわりの皮膚は最も弱いとされることもあり、特に手際よくパーマをかける必要があるが、湾曲した瞼に沿って生えた短いまつげは頭髪に比べ格段に扱いにくく、所望するような形状にかからないことも少なくない。
【０００３】
現在、美容業界で使用されているまつげパーマ用ロッドは、綿棒状の細径丸棒材の外周に粘着層を設けたもの（特許文献１参照）、あるいは概ねこれに近いものである。しかしこのような細径の丸棒を用いてパーマをかけると、必要以上に巻毛になってしまいやすいなど、これを用いて所望どおりの仕上がりとするには特別に熟練した技術が必要とされる。
【０００４】
また両面に粘着層を有する板状シリコーンゴムからなる平面ロッドを、まつげに貼着し、巻回して形状を付与するパーマ技法が提案されている（特許文献２参照）。この文献には、巻回された平面ロッドを瞼に貼着すればまつげが引張られてパーマネント効果を向上させることができる旨記載されている。
【０００５】
しかし最近の美容ブームからまつげパーマへの要求は高度になっており、パーマがしっかりかかるだけでなく、特に形のよい仕上がりが求められている。前記した丸棒のロッド径を大きめにすれば、必要以上に巻毛にならず、まつげに適切な大きさのカールを付すことができるが、カールを大きくすると図９（ｂ）に示すようにまつげ根元部分が瞳を隠すように垂下してしまう。このためパーマをかけた後も、瞳を隠さず、ぱっちりした目元に仕上げるためには、メイクアップの度に、垂下したまつげ根元部分をビューラで持ち上げる必要があった。
【０００６】
【特許文献１】実開昭５９−８７７０１号公報
【特許文献２】特開平６−１０５７０９号公報
【０００７】
【発明が解決しようとする課題】
本発明は、上記のようなまつげパーマの現況に鑑みてなされ、必要以上に巻毛にならず、適切な度合いでまつげにカールを付すことができるとともに根元部分で垂下せず、根元から大きく張り出した仕上がり形状が得られ、かつその形状をビューラを使用しなくても保持することができるパーマを容易に失敗なくかけることができるまつげパーマ用ロッドおよびこれを用いたまつげにパーマをかける（まつげパーマ施術）方法を提供することを目的としている。
【０００８】
【課題を解決するための手段】
本発明者は、まつげパーマのニーズが高まる中で、まつげに適したロッド特に適度なカールで根元から立上がる仕上がりの得られるロッドの形状について鋭意検討したところ、少なくとも４箇所の特定位置でまつげと当接するように規定した特定形状の断面（まつげ当接面）を有するロッドによって、上記課題を解決することができることを見出し、本発明を完成するに至った。
【０００９】
このような本発明では、一中心点からの距離Ｒ１  で、中心点に対し９０°の挟角を形成する２点ｒ１  およびｒ２  、前記中心点と０．５ｍｍ以上離間した他の中心点からの距離Ｒ２  （ただしＲ２  ≧Ｒ１  ）にある２点であって、前記ｒ２  と平行かつ同じ向きの点ｒ３  および前記ｒ１  と逆方向の点ｒ４  を、少なくともまつげ当接点とする横断面を有する棒体からなるまつげパーマ用ロッドを提供する。
【００１０】
上記Ｒ１  の長さは、通常０．７〜２ｍｍである。
上記Ｒ２  の長さは、Ｒ１  と等しいかまたはそれより長く、通常０．７〜３ｍｍである。上記Ｒ２  がＲ１  より長い態様、等しい態様のいずれも本発明の好ましいロッドである。
【００１１】
上記まつげ当接点ｒ１  →ｒ２  →ｒ３  →ｒ４  を結ぶ輪郭線は、滑らかであっても、滑らかでなくてもよい。たとえばｒ１  とｒ２  とを結ぶ輪郭部分、ｒ３  とｒ４  とを結ぶ輪郭部分は、それぞれ、たとえばＲ１  またはＲ２  を半径とする部分円周形でもよく、また１以上の角部を通る角形でもよい。
上記２中心点の結線を断面上の長軸方向とし、その直角方向を幅方向とするとき、ｒ２  →ｒ３  間の幅方向に、Ｒ１  よりも縮径部（溝）を有していてもよい。たとえばこのような溝は、ｒ１  とｒ２  との挟角が９０°以上であることによりＲ１  で規定される部分円周の延長により形成される。
【００１２】
ロッド断面の全体形状は、ｒ１  →ｒ２  →ｒ３  →ｒ４  →ｒ１  を順次（またはその逆）に結ぶ１つの閉鎖環（ただし真円ではない）で輪郭され、この閉鎖環は、長軸に対して幅方向同士で対称でもよく、非対称でもよい。まつげ当接面の裏面、すなわち瞼当接側の断面形状は、上記長軸に対するｒ２  を規定する中心点からの幅がＲ１  、すなわちｒ２  の対称点を最大とすること以外に特に制限されない。
【００１３】
まつげ当接面と瞼当接面が、長軸に対して対称なロッド断面形状例としては、たとえばＲ１  ＝Ｒ２  の場合には、概ね楕円形、２つの円の接合形、２つの多角形の接合形が挙げられる。
非対称の端的な例では、瞼当接面は、ｒ４  →ｒ１  を直線で結ぶ形状で形成されてもよい。
上記において、２つの中心点間距離は０．５ｍｍ以上であるが、実施態様の具体例として、上記Ｒ１  とＲ２  との合計長さであるまつげパーマ用ロッドが提供される。
【００１４】
またエンボス表面を有するロッドは、本発明の好ましい態様例である。
本発明のロッドは、上記断面形状を有していれば材料は特に限定されないが、成形のしやすさなどから熱可塑性ポリマー、特に熱可塑性エラストマーなどが好ましい。
【００１５】
上記のような形状のまつげパーマ用ロッドは知られていない。本発明では、上記したような特定形状のまつげパーマ用ロッドを用い、上記ｒ１  点をまつげ根元に、ｒ４  点をまつげ毛先側に配置し、まつげをｒ１  、ｒ２  、ｒ３  およびｒ４  の少なくとも４点と当接させてパーマをかけることにより、従来のロッドを用いるパーマでは困難であった、施術後にビューラーを施さなくても、大きなカールが根元から直ちに立上がった理想的な仕上がりが得られる。したがって本発明では、上記まつげパーマ用ロッドを用いるまつげパーマ施術方法も提供する。
【００１６】
【発明の実施の形態】
以下、図を参照して本発明をより具体的に説明する。
図１は、本発明のまつげパーマ用ロッドのまつげ当接面側の形状を説明するためのロッド長手端面（以下、断面ともいう）図である。
本発明のロッド１の断面１０は、２つの中心点ｃ１  およびｃ２  の各長さＲ１  およびＲ２  で規定される少なくとも４点をまつげ当接点として通る。具体的には、中心点ｃ１  から長さＲ１  の位置にある点ｒ１  、これと９０°の挟角で等辺位置にある点ｒ２  、点ｒ２  と平行にかつ同じ向きで、中心点ｃ２  から長さＲ２  の位置にある点ｒ３  、これと挟角９０°で等辺位置にある点ｒ４  を順（または逆順）に結ぶ線でまつげ当接面１１ａの輪郭が規定される。
【００１７】
上記まつげ当接点ｒ１  →ｒ２  →ｒ３  →ｒ４  を結ぶ線は、滑らかであっても、滑らかでなくてもよい。図１（ａ）は、まつげ当接点ｒ１  →ｒ２  →ｒ３  →ｒ４  を滑らかに結ぶ輪郭例を示す。図１（ｂ）は、滑らかではない部分を有する輪郭例として、ｒ２  →ｒ３  間に、ｒ１  とｒ２  との挟角が９０°以上であることによりＲ１  で規定される部分円周の延長により形成される縮径部（溝）１０１を有する形状例で示す。
【００１８】
ここで、上記まつげ当接点ｒ１  〜ｒ４  とまつげ２との位置関係を図２に示す。ロッド１は、ｒ１  点がまつげ根元側、ｒ４  点がまつげ毛先側になるように、まつげ当接面１１ａをまつげ２側に、瞼当接面１１ｂを上瞼２０側に配置し、まつげ２をｒ１  、ｒ２  、ｒ３  およびｒ４  に当接させる。図２中、２１は下瞼である。
【００１９】
ロッド１の断面全体の形状は、上記ｒ１  →ｒ２  →ｒ３  →ｒ４  →ｒ１  を順次（またはその逆順）に結ぶ１つの閉鎖環で輪郭される。上記２つの中心点ｃ１  およびｃ２  は０．５ｍｍ以上離間しており、したがって上記閉鎖環は真円ではない。
以下、便宜上、このロッド断面において、ｃ１  およびｃ２  の結線方向を長軸方向、これと直角方向を幅方向と称する。
【００２０】
ｒ４  →ｒ１  を結ぶ線で輪郭される上瞼２０への当接面１１ｂの断面形状は、長軸に対するｒ２  を規定する中心点ｃ１  からの幅がＲ１  、すなわちｒ２  の対称点を最大とすること以外は特に制限されない。ロッド１は、長軸に対して、幅方向に対称（以下、幅対称）でもよく、非対称でもよい。
【００２１】
上記まつげ当接面１１ａ側の輪郭部分のうち、まつげ２の根元に対応するｒ１  ないしｒ２  輪郭部分を決定するＲ１  の長さは２ｍｍ以下であり、通常０．７〜２ｍｍ、好ましくは０．７５〜１．５より好ましくは０．７５〜１．３ｍｍである。したがって中心点ｃ１  を通るロッド断面の幅は、最大（幅対称の場合）でも４ｍｍ以下であり、通常３ｍｍ以下、好ましくは２．６ｍｍ以下である。
一方、まつげ２の毛先に対応するｒ３  ないしｒ４  輪郭部分を決定するＲ２  の長さは、まつげの長さによっても異なるが、Ｒ１  と等しいかまたはそれより長く、通常０．７〜３ｍｍである。したがって中心点ｃ２  を通るロッド断面の幅は、最大でも６ｍｍ以下であり、通常５ｍｍ以下、好ましくは１．５〜４ｍｍ程度である。
【００２２】
また、上記したように中心点ｃ１  とｃ２  とは、少なくとも０．５ｍｍ離間しており、好ましくは１ｍｍ以上離間している。ｃ１  〜ｃ２  間が、上記Ｒ１  とＲ２  との合計長さ相当分離間する実施例、あるいはそれよりも若干短めで離間する実施例も好ましく挙げられる。
【００２３】上記したように、まつげ当接点ｒ１  →ｒ２  →ｒ３  →ｒ４  を結ぶ輪郭線は、滑らかであっても、滑らかでなくてもよい。たとえばｒ１  とｒ２  とを結ぶ輪郭部分、ｒ３  とｒ４  とを結ぶ輪郭部分は、それぞれ、たとえばＲ１  またはＲ２  を半径とする部分円周形でもよく、また１以上の角部を通る角形でもよい。また長軸方向に対し、まつげ当接面１１ａと瞼当接面１１ｂが対称でも非対称であってもよい。
【００２４】上記で規定されるロッド断面の具体例を図３〜４に示す。図３は、Ｒ２  ＝Ｒ１  の場合を例にとって示す実施形態例であり、図４はＲ２  ＞Ｒ１  の場合を例にとって示す実施形態例である。図３（ａ）は、まつげ当接点ｒ１  →ｒ２  →ｒ３  →ｒ４  を結ぶ輪郭線が滑らかであって、幅対称で、Ｒ２  ＝Ｒ１  である例であって、概ね楕円形断面を示す。図中、ｒ２’はｒ２  の対称点、ｒ３’はｒ３  の対称点である。
【００２５】長軸方向に対し非対称である断面において、瞼当接面１１ｂは、ｒ４  →ｒ１  を直接ほぼ直線で結ぶ輪郭線で形成されてもよいが、まつげ２の毛先が点ｒ４  を充分に巻込むように、瞼当接面１１ｂ側に長軸から若干の厚みをもたせた形状も好ましい。このような非対称形例として、図１（ｂ）に示すまつげ当接面１１ａに溝１０１のある形状の例を図３（ｂ）に示す。
また当接点ｒ１  〜ｒ４  を結ぶ輪郭線が滑らかではない形状でも、図３（ｃ）〜（ｄ）に示すような幅対称とした形状は、製造容易である点で好ましい。
【００２６】Ｒ２  ＞Ｒ１  である態様例を示す図４のうち、（ａ）は、まつげ当接点ｒ１  〜ｒ４  を結ぶ輪郭線が滑らかで、幅対称である例であって、（ｂ）は、まつげ当接点ｒ１  〜ｒ４  を結ぶ輪郭線が滑らかで、長軸方向に対し非対称である例、（ｃ）は、長軸方向に対し非対称で、当接点ｒ１  〜ｒ４  を結ぶ輪郭線が滑らかではない形状例である。
上記のうちでも、図３（ｂ）〜（ｄ）および図４（ｃ）で示されるようにｒ１  →ｒ２  の挟角が９０°以上で、Ｒ１  で規定される円周、角形輪郭が延長されたまつげ当接面１１ａをもつものが好ましい。
なお本発明のロッドは上記例示の形状に限定されるものではない。
【００２７】
上記において、図３（ａ）、（ｃ）、（ｄ）および図４（ａ）などに例示される幅対称の断面をもつロッド１は、ｃ１  およびｃ２  の各中心点を通る幅はそれぞれ２×Ｒ１  または２×Ｒ２  の長さをもつ。このような態様のより具体的な実施例として、下記表１に示すＲ１  またはＲ２  の組合わせの幅をもつものを好ましく例示することができる。表１中、実施例品に丸付き数字の番号を付して示す。
【００２８】
【表１】
2005027788.tif 000003
【００２９】
上記表１に示す実施態様例において、ｃ１  およびｃ２  の中心点間距離は、概ね各Ｒ１  とＲ２  との合計値に相当する長さである。
表１に示されるＲ１  およびＲ２  の組合わせがあれば、ほとんどの日本人のまつげにあわせることができる。これらのうちでも、実施例品番号▲１▼、▲３▼、▲５▼、▲６▼、▲７▼、▲８▼および▲９▼のロッドがあれば、ほぼどのようなまつげ長さにも適合する。
【００３０】
まつげ２とロッド１との適合は、図２に示すように、ロッド１を、点ｒ１  をまつげ２の根元にあわせて瞼２０とまつげ２との間に置いた時、点ｒ２  、ｒ３  と当接したまつげが少なくとも点ｒ４  に到達することをいう。
上記ｒ１  〜ｒ４  の４点でまつげを押えることにより、特にまつげ２の根元分をＲ１  で規定されるｒ１  およびｒ２  で、まつげの毛先部分をＲ２  で規定されるｒ３  およびｒ４  に合わせてパーマをかけることにより、必要以上に巻毛にならないだけでなく、根元から直に立あがるカールに仕上げることができる。
【００３１】
本発明のロッドは、上記のような断面形状を有していればよく、ロッド長さは瞼より若干長い程度であればよい。通常、概ね５ｃｍ程度である。
図５は、ロッドの棒体形状例を示す概略斜視図である。ロッドは、図５（ａ）〜（ｂ）に示すように直棒状であってもよく、（ｃ）に示すように瞼に沿うカーブが付されていてもよい。また（ｂ）に示すように側面１１が表面凹凸、表面模様などの粗面（エンボス表面）を有する態様も好ましい。
なお図５に示すロッド断面は、図３（ａ）で示される断面で例示するが、ロッド全体を説明するための単なる例であって、この断面に限定されないことはいうまでもない。
【００３２】
ロッド材料は、パーマ液と反応しない材料であって、上記断面輪郭を有する棒体を形成できるものであればよく、合成材料、金属材料、さらには木質、紙質などの天然材料など特に制限されない。またロッドは、断面外周が上記輪郭を有していればよく、中実棒体だけでなくても中空棒体であってもよい。たとえば中空金属材料ロッドとして、軽量化し、繰り返し使用することも可能である。
製造容易な点で、プラスチック材料が好ましく挙げられ、たとえばオレフィン系、フッ素系、シリコン系などの種々の汎用のプラスチック材料を広く適用することができる。
【００３３】
熱可塑性プラスチック材料であれば押出成形で容易に製造することができる。また、たとえば炭化水素系エラストマー、シリコンゴム、フルオロエラストマーなどのゴム弾性を有するプラスチック材料は、まつげの巻付け作業上瞼に沿わせやすく好ましい。さらに炭化水素系エラストマーのうちでも、熱可塑性ポリマー特にポリオレフィン系エラストマー（ＴＰＯ）、とりわけエチレン成分を含むものは、使用時に熱水、ドライヤなどで棒体の変形が可能であり、瞼に沿わせるように微調節も可能であり、好ましい。
また熱可塑性プラスチック材料であれば、型を用いたエンボス表面の付与以外にも、押出圧などの成形条件の選択によりたエンボス表面を付与することもできる。
【００３４】
本発明において、まつげパーマの施術は、上記のようなまつげパーマ用ロッドを用いる以外は、一般的なパーマ施術方法に準じて行なうことができる。図６〜８を参照して、施術例を具体的に説明する。
１）図６に示すように、まつげはパーマをかける前に、まずクレンジングジェル等で汚れを落すことが望ましい。
２）テープ３で瞼を引張ると、まつげ２をロッド１に固定させやすくなる。
３）ロッド１に糊料をつけてまつげ２の根元に固定する。
糊料は、パーマ施術中はまつげをロッドに固定でき、パーマ終了後にはロッドを取り外せる程度の貼着力のものであればよく、ゴムラテックス系接着剤を使用することができる。たとえば市販のアイプチ（商品名）を使用すれば容易に作業することができる。
【００３５】
４）次いで図７に示すように、ロッド１に、部分的に糊料をつけ、該当個所のまつげ２を順次針金４等で巻き付け、固定する。
５）巻き付けが終わったら、所定のパーマ液をつけ所定時間置く（図８参照）。
６）所定時間経過後、綿棒などでパーマ液を除去する。
７）濡らした綿棒でロッドを外し、まつげおよび瞼の汚れを取る。
８）テープ３を剥がし、クリーム等をつける。
【００３６】
上記により、図９（ａ）に示すような大きなカールがまつげ根元から直ちに立上がった理想的な仕上がりが得られる。またこの形状は、メイクアップの都度、ビューラーを用いなくても、パーマがかかっている間保持される。
【００３７】
【発明の効果】
本発明によれば、難しいとされるまつげパーマを容易に、かつ従来パーマだけでは困難であった大きなカールでかつまつげ根元から直ちに立上がった仕上がりを得ることができる。
【図面の簡単な説明】
【図１】（ａ）〜（ｂ）は本発明のまつげパーマ用ロッドのまつげ当接面の説明図である。
【図２】本発明のロッドとまつげとの当接位置を説明する図である。
【図３】（ａ）〜（ｄ）は、本発明のまつげパーマ用ロッドの実施例を示す断面形状の説明図である。
【図４】（ａ）〜（ｃ）は、本発明のまつげパーマ用ロッドの実施例を示す断面形状の説明図である。
【図５】（ａ）〜（ｃ）は、本発明のまつげパーマ用ロッドの斜視図である。
【図６】本発明におけるパーマ施術工程を説明する図である。
【図７】本発明におけるパーマ施術工程を説明する図である。
【図８】本発明におけるパーマ施術工程を説明する図である。
【図９】（ａ）は本発明によるパーマ施術後のまつげを説明する図であり、（ｂ）は従来のロッドによりパーマ施術後のまつげを説明する図である。
【符号の説明】
１…ロッド
１０…ロッド断面
１０１…溝
１１…ロッド側面
１１ａ…まつげ当接面
１１ｂ…瞼当接面
２…まつげ
２０、２１…瞼
【図１】
2005027788.tif 000004
【図２】
2005027788.tif 000005
【図３】
2005027788.tif 000006
【図４】
2005027788.tif 000007
【図５】
2005027788.tif 000008
【図６】
2005027788.tif 000009
【図７】
2005027788.tif 000010
【図８】
2005027788.tif 000011
【図９】
2005027788.tif 000012